(57)【特許請求の範囲】
【請求項１】
ベース部材と、このベース部材に相対移動可能に支持されたボード支持部材とを備え、
前記ボード支持部材は前記ベース部材から起立してボードを立て掛け姿勢で支える第１の位置と、前記ベース部材に略沿う第２の位置との間を移動可能に設けられ、
前記ボード支持部材を前記第２の位置に設定したときに、当該ボード支持部材とベース部材との間に、所定の天板が差し込み可能な空間を形成して前記天板に支持されることを特徴とするボードスタンド。
【請求項２】
前記ベース部材におけるボード支持部材の支持領域には、当該ボード支持部材を第１及び第２の位置に保つ位置規制部が設けられていることを特徴とする請求項１記載のボードスタンド。
【請求項３】
前記ベース部材は略方形の板状体と、この板状体の一端側に配置された一対の軸受部材とを備え、前記ボード支持部材は、前記軸受部材に支持される一対の軸部と、これら軸部間に延びるフレームとにより構成されていることを特徴とする請求項１又は２記載のボードスタンド。
【請求項４】
前記軸受部材は複数の溝を備える一方、前記ボード支持部材は、前記軸受部材に支持される一対の軸部間に延びるフレームを含んで構成され、このフレームは、前記第１の位置にあるときに前記板状体の面に乗る部分を備えて構成されていることを特徴とする請求項３記載のボードスタンド。
【発明の詳細な説明】
【０００１】
【発明の属する技術分野】
本発明はボードスタンドに係り、更に詳しくは、プロジエクタのスクリーンやホワイトボード等のボードを立て掛けることができ、不使用時には、テーブル等の天板を利用して引っ掛けた状態に保つことのできるボードスタンドに関する。
【０００２】
【従来の技術】
従来より、プロジェクタのスクリーン或いはホワイトボード等のボードを立て掛け姿勢にする場合には、専用の支持体を用いる他、ボードの背面側に起立姿勢に保持するための脚部材を設ける構成等が採用されている。
【０００３】
【発明が解決しようとする課題】
しかしながら、一般的な専用の支持体は、不使用時にキャビネット等の保管庫に収容しておき、必要時に持ち出して使用するものとなっている。従って、例えば、プロジェクタのスクリーンやホワイトボードをオフィスの会議室等で使用する場合には、保管庫まで取りに行かなければならない。この一方、ボードの背面側に脚部材を設ける場合には、ボード自体の構造が複雑になるのみならず、他のボードに利用することの汎用性が得られないという不都合がある。
【０００４】
【発明の目的】
本発明は、このような不都合に着目して案出されたものであり、その目的は、不使用時には、テーブルに関連付けして退避した位置に常備させておくことができるとともに、必要時に取り出して直ちに使用することのできる汎用性を備えたボードスタンドを提供することにある。
【０００５】
【課題を解決するための手段】
前記目的を達成するため、本発明に係るボードスタンドは、ベース部材と、このベース部材に相対移動可能に支持されたボード支持部材とを備え、
前記ボード支持部材は前記ベース部材に略沿う第１の位置と、当該ベース部材から起立してボードを立て掛け姿勢で支える第２の位置との間を移動可能に設けられ、
前記ボード支持部材を前記第２の位置に設定したときに、当該ボード支持部材とベース部材との間に、所定の天板が差し込み可能な空間を形成して前記天板に支持される、という構成を採っている。このような構成とすれば、ボード支持部材を第２の位置に設定してベース部材に沿わせる状態としておき、ベース部材が天板に乗るような姿勢で前記空間に天板を差し込むことで、ボードスタンドを天板に引っ掛けることができる。この際、ボード支持部材は、天板の裏面側に略沿うような姿勢となるため、天板の下方に大きく突き出ることはなく、テーブル回りに着座する者の障害となることもない。しかも、ボードを頻繁に使用する会議室のテーブル等に関連付けできるようになり、保管庫等を利用する必要も解消することが可能となる。また、ボードスタンドを天板に引っ掛ける位置は当該天板の外周側となるため、テーブルの通常使用の妨げとなることもない。
【０００６】
【発明の実施の形態】
本発明において、前記ベース部材におけるボード支持部材の支持領域には、当該ボード支持部材を第１及び第２の位置に保つ位置規制部が設けられる、という構成を採ることが好ましい。このような構成とすることで、ボードスタンドを天板に引っ掛けたときの姿勢を一定に保つことができる一方、ボードを支える第１の位置も安定的に保つことができ、ボードが不用意に倒れてしまうことも防止可能となる。
【０００７】
また、前記ベース部材は略方形の板状体と、この板状体の一端側に配置された一対の軸受部材とを備え、前記ボード支持部材は、前記軸受部材に支持される一対の軸部と、これら軸部間に延びるフレームとにより構成するとよい。このような構成とすれば、ベース部材が天板に安定した状態で設置されて使用時の安定性を維持するとともに、フレームの内側が空間となることで全体的な軽量化を図ることができる。
【０００８】
更に、前記軸受部材は複数の溝を備える一方、前記ボード支持部材は、前記軸受部材に支持される一対の軸部間に延びるフレームを含んで構成され、このフレームは、前記第１の位置にあるときに前記板状体の面に乗る部分を備える構成とすることが好ましい。これによれば、フレームに筋交い類似の部材を設けることなく当該フレームの起立姿勢を安定化させることができる。
【０００９】
【実施例】
以下、本発明の実施例を図面を参照しながら説明する。
【００１０】
図１には、本実施例に係るボードスタンドの使用時における概略斜視図が示され、図２には、その分解斜視図が示されている。これらの図において、ボードスタンド１０は、ベース部材１１と、このベース部材１１に相対回転可能に支持されたボード支持部材１２とを備えて構成されている。
【００１１】
ベース部材１１は板状体１５と、この板状体１５の一端側において相互に所定間隔を隔てた位置に設けられた一対の軸受部材１６，１６と、これら軸受部材１６，１６を略同一軸線上で一体化する筒状連結体１７とにより構成されている。板状体１５は平面視略方形に設けられ、図３に示されるように、板状体１５の一端側すなわち軸受部材１６側に、板状体１５の面に対して屈曲した湾曲連結面１９を一体に備えた形状とされている。この湾曲連結面１９には、複数の穴２０（図２参照）が形成されており、これらの穴２０にねじ２１を挿入して筒状連結体１７にねじ込み固定可能となっている。なお、ねじに代えて直接溶接してもよい。また、板状体１５の他端側の略中央部には、ボードＢを持ち運ぶ際に利用することのできる略方形の把持用穴２３が形成されている。
【００１２】
前記軸受部材１６は、図３及び図４に示されるように、略円盤状の本体部２５と、この本体部２５の一端側に設けられて当該本体部２５の直径よりも小径に設けられて前記筒状連結体１７の端部に嵌合する連結軸部２６とを備えた形状に設けられている。本体部２５と連結軸部２６の中心軸線上には貫通穴２７が形成されており、この貫通穴２７を相対移動時の回転中心として前記ボード支持部材１２が支持されるようになっている。本体部２５における外面側、すなわち、前記連結軸部２６が設けられた面とは反対側には、ボード支持部材１２を第１及び第２の位置に保つ位置規制部としての第１及び第２の溝３０，３１が形成されている。これら第１及び第２の溝３０，３１は、本体部２５の外周端から中心に向かってそれぞれ直線的に延びるとともに、それらの延出方向が同一平面内において略９０度の角度をもって交差する方向に設けられ、当該交差領域内に前記貫通穴２７が位置するようになっている。
【００１３】
前記ボード支持部材１２は、図２及び図５に示されるように、前記軸受部材１６の貫通穴２７に挿入されて略同一軸線上に位置する一対の軸部３４，３４と、これら軸部３４，３４間に延びるフレームＦとにより構成されている。フレームＦは、前記軸部３４，３４の軸線方向と略直交する一対の基部軸３５，３５と、この基部軸３５，３５に連なって前記軸部３４，３４とそれぞれ相互に略平行に設けられるとともに、前記第１及び第２の溝３０，３１内に選択的に位置する一対の内向屈曲軸３７，３７と、当該内向屈曲軸３７，３７の内方端に連なって前記基部軸３５と略平行に延びる延長基部軸３９，３９と、これら延長基部軸３９，３９間の軸線に対して略直交する面内に位置するとともに当該延長基部軸３９，３９間を連結するコ字状軸４０とにより構成されている。ここで、ボード支持部材１２は、前記基部軸３４部分が第１の溝３０内に位置してボード支持部材１２がベース部材１１から起立する第１の位置にあるときに、前記内向屈曲軸３７及び延長基部軸３９が板状体１５の面に乗って後方に倒れ込まないようになっている。この一方、基部軸３４が第２の溝内に位置する第２の位置にあるときに、基部軸３５及び延長基部軸３９の長さに応じた空間Ｓ（図６参照）を隔てた状態でフレームＦのコ字状軸４０が板状体１５の面に略沿う方向に向けられるようになっている。
【００１４】
次に、本実施例に係るボードスタンドの組み立て方法と、使用方法について説明する。
【００１５】
ベース部材１１を組み立てる場合には、図２及び図３に示されるように、板状体１５の一端側に設けられた湾曲連結面１９を筒状連結体１７の外周部分にねじ２１で固定する。この際、板状体１５が第１の溝３０の延出方向に略沿うように予めねじ２１のねじ穴が筒状連結体１７に形成されている。
【００１６】
次いで、前記フレームＦにおけるコ字状軸４０の開放幅を強制的に拡げるようにし、軸部３４，３４を軸受部材１６の各貫通穴２７，２７に合わせる。そして、強制的な拡開力を解除して軸部３４，３４を各貫通穴２７，２７に挿入することにより、ボード支持部材１２がベース部材１１に相対移動可能に支持されてボードスタンド１０が構成される。
【００１７】
ボードスタンド１０を利用してボードＢを立て掛ける場合には、基部軸３５，３５部分を第１の溝３０，３０内に位置させることによって行われる。すなわち、ベース部材１１がテーブルＴ（図５及び図６参照）の天板４５上に乗せられた状態で、ボード支持部材１２は前記コ字状軸４０がベース部材１１から起立した位置をとるようになり、これにより、ボードＢの下端がベース部材１１に乗って、当該ボードＢの背面側がフレームＦによって支えられることとなる。
【００１８】
この一方、ボードスタンド１０を使用しない場合には、基部軸３５，３５が第２の溝３１内に位置するようにボード支持体１２を回転移動させればよい。この状態では、ボード支持部材１２のコ字状軸４０が板状体１５の下面側において、当該板状体１５に沿って延びる姿勢となる。この際、コ字状軸４０は、前述した基部軸３５と後退軸３９の長さに対応して軸部３４から離れて板状部１５との間に空間Ｓを形成するため、図６に示されるように、空間Ｓ内にテーブルＴの天板４５が位置するように差し込むことで、ボードスタンド１０を天板４５の外周側領域に退避させた位置で引っ掛ることができる。
【００１９】
また、ボードＢとボードスタンド１０を別の場所に持ち運ぶ必要があるときは、図７に示されるように、ボード支持部材１２を第２の位置に設定した状態で板状体１５を鉛直向きとし、ボード支持部材１２と板状体１５との間にボードＢを配置することで、ボードＢが基部軸３５，３５に乗った状態となる。従って、この状態で、板状部１５の把持用穴２３を把持することで、ボードＢとボードスタンド１０とを一体化させて容易に運搬することができる。
【００２０】
従って、このような実施例によれば、テーブルＴの天板４５を利用してボードスタンド１０を待機させておくことができ、ボードスタンド１０が邪魔な存在となることなくテーブルＴに関連付けて使用に備える状態に保持することが可能となる。
【００２１】
なお、前記実施例では、ボード支持部材１２が軸部３４，３４間に延びるフレームＦによって構成された場合を図示、説明したが、本発明はこれに限定されるものではない。例えば、ボード支持部材１２も  ベース部材１１と同様に板状体によって構成することができる。但し、ボード支持部材１２をフレームＦによって構成した場合には、全体としての軽量化を図ることができる点で有利である。この一方、ベース部材１１は板状体１５によって構成する場合に限らず、ボード支持部材１２のようにフレームによって構成することもできる。
【００２２】
【発明の効果】
以上説明したように、本発明によれば、ボード支持部材を第２の位置に設定したときに、当該ボード支持部材とベース部材との間に、所定の天板が差し込み可能な空間が形成される構成としたから、ボード支持部材を第２の位置に設定してベース部材に沿わせる状態としておき、ベース部材が天板に乗るような姿勢で前記空間に天板を差し込むことで、ボードスタンドを天板に引っ掛けることができる。この際、ボード支持部材は、天板の裏面側に略沿うような姿勢となるため、天板の下方に大きく突き出ることはなく、テーブル回りに着座する者の障害となることもない。しかも、ボードを頻繁に使用する会議室のテーブル等に関連付けできるようになり、保管庫等を利用する必要も解消することが可能となる。また、ボードスタンドを天板に引っ掛ける位置は当該天板の外周側となるため、天板の普通に利用する際の妨げとなることもない。
【００２３】
また、ボード支持部材の支持領域に位置規制部を設けて前記第１及び第２の位置を保つように設けたから、ボードスタンドを天板に引っ掛けたときの姿勢を一定に保つことができる一方、ボードを支える第１の位置も安定的に保つことができ、使用時において、ボードが不用意に倒れてしまうことも防止可能となる。
【００２４】
また、前記ベース部材は板状体の一端側に配置された一対の軸受部材を備える一方、ボード支持部材は、軸受部材に支持される一対の軸部間に延びるフレームを含んで構成したから、ベース部材が天板に安定した状態で設置するとともに、フレームの内側が空間となることで全体的な軽量化を図ることができる。
【００２５】
更に、前記ボード支持部材を構成するフレームは、第１の位置とされたときに板状体の面に乗る部分を備える形状に設けられているため、ボードを立て掛け姿勢で支える際のフレームの起立姿勢を安定的に保つことができる。
【図面の簡単な説明】
【図１】ボード支持部材が第１の位置をとる状態を示すボードスタンドの概略斜視図。
【図２】図１の分解斜視図。
【図３】軸受部材の側面図。
【図４】軸受部材の一端側概略斜視図。
【図５】ボードを支持した使用状態を示すボードスタンドの概略斜視図。
【図６】ボードをテーブルの天板に支持させた第２の位置をとる概略斜視図。
【図７】ボードをボードスタンドと共に運搬する状態を示す概略斜視図。
【符号の説明】
１０  ボードスタンド
１１  ベース部材
１２  ボード支持部材
１５  板状体
１６  軸受部材
２３  把持用穴
３０  第１の溝（位置規制部）
３１  第２の溝（位置規制部）
３４  軸部
３７  内向屈曲軸
３９  延長基部軸
４５  天板
Ｆ  フレーム
Ｓ  空間
Ｔ  テーブル
【図１】
0004779274.tif 000002
【図２】
0004779274.tif 000003
【図３】
0004779274.tif 000004
【図４】
0004779274.tif 000005
【図５】
0004779274.tif 000006
【図６】
0004779274.tif 000007
【図７】
0004779274.tif 000008